(57)【要約】【課題】退出後は部屋の扉を確実に施錠することができる施錠システムを提供する。【解決手段】浴室扉Ｄを施錠する電気錠１０と、脱衣場ＤＲに設置された、脱衣場ＤＲ内にいる幼児Ｃ以外の人Ｈを検出する第１の人体検出センサ２０と、浴室ＢＲ内に設置された、浴室ＢＲ内にいる人を検出する第２の人体検出センサ３０と、第１の人体検出センサ２０及び第２の人体検出センサ３０と電気錠１０とを通信可能に接続する二芯通信線４１とを備えている。脱衣場ＤＲに幼児Ｃ以外の人Ｈがいないことが検出され、しかも、浴室ＢＲ内に人がいないことが検出された場合に限って、電気錠１０が自動的に施錠動作を行うようになっており、浴室扉ＤＲが施錠されている状態において、脱衣場ＤＲに幼児Ｃ以外の人Ｈがいることが検出された場合に限って、電気錠１０が解錠動作を行うようになっている。【選択図】        図１
2004150175.tif 000002
【特許請求の範囲】
【請求項１】
特定の部屋の扉を施錠する電気錠と、
特定の前記部屋の前に幼児以外の人がいるかどうかを検出する第１の人体検出センサとを備え、
前記第１の人体検出センサから出力される人体検出信号が前記電気錠に入力されるようになっており、
特定の前記部屋の扉が解錠されている状態において、前記第１の人体検出センサによって、特定の前記部屋の前に幼児以外の人がいないことが検出されると、前記電気錠が施錠動作を行うようになっている施錠システム。
【請求項２】
特定の前記部屋の扉が施錠されている状態において、前記第１の人体検出センサによって、特定の前記部屋の前に幼児以外の人がいることが検出されると、前記電気錠が解錠動作を行うようになっている請求項１に記載の施錠システム。
【請求項３】
浴室扉を施錠する電気錠と、
脱衣場に幼児以外の人がいるかどうかを検出する第１の人体検出センサとを備え、
前記第１の人体検出センサから出力される人体検出信号が前記電気錠に入力されるようになっており、
前記浴室扉が解錠されている状態において、前記第１の人体検出センサによって、脱衣場に幼児以外の人がいないことが検出されると、前記電気錠が施錠動作を行うようになっている施錠システム。
【請求項４】
浴室内に人がいるか否かを検出する第２の人体検出センサを備え、
前記第２の人体検出センサから出力される人体検出信号が前記電気錠に入力されるようになっており、
前記第２の人体検出センサによって、浴室内に人がいることが検出されると、前記電気錠は施錠動作を行わないようになっている請求項３に記載の施錠システム。
【請求項５】
前記浴室扉が施錠されている状態において、前記第１の人体検出センサによって、脱衣場に幼児以外の人がいることが検出されると、前記電気錠が解錠動作を行うようになっている請求項３または４に記載の施錠システム。
【請求項６】
浴室以外に設置された給湯器の操作手段と、
前記電気錠と前記操作手段とを通信可能に接続する通信手段とを備え、
前記操作手段は、前記電気錠から送信される動作信号に基づいて、前記電気錠が施錠状態であるのか、解錠状態であるのかを報知するようになっている請求項３、４または５に記載の施錠システム。
【請求項７】
前記浴室扉の開閉状態を検出する扉状態検出センサと、
前記扉状態検出センサと前記操作手段とを通信可能に接続する通信手段とを備え、
前記操作手段は、前記扉状態検出センサから送信される扉状態検出信号に基づいて、前記浴室扉の開閉状態を報知するようになっている請求項６に記載の施錠システム。
【請求項８】
前記浴室扉の開閉状態を検出する扉状態検出センサと、
前記扉状態検出センサと前記操作手段とを通信可能に接続する通信手段とを備え、
前記操作手段は、前記電気錠から送信される動作信号と前記扉状態検出センサから送信される扉状態検出信号とに基づいて、前記電気錠が施錠状態である場合に、前記浴室扉が実際に施錠されているか否かを判断し、前記浴室扉が実際に施錠されていない場合は、その旨を表示するようになっている請求項６に記載の施錠システム。
【発明の詳細な説明】
【０００１】
【発明の属する技術分野】
この発明は、浴室等の特定の部屋における扉の施錠及び解錠を行うための浴室扉の施錠システムに関する。
【０００２】
【従来の技術】
近年、入浴時以外に幼児が一人で浴室内に入り、残り湯のある浴槽内に誤って転落するといった事故が起こるおそれがあり、こういった浴室内で発生する事故を未然に防止することが求められている。
【０００３】
従って、近年のシステムバス等では、脱衣場及び浴室内の双方から操作することができるが、背の低い幼児では操作することができないように、浴室扉のある程度の高さ位置に手動錠が設置されたものがあり、入浴時以外は浴室扉を閉めた状態で脱衣場側から手動錠を施錠することによって、幼児が一人で浴室内に入ることができないようになっている。
【０００４】
【特許文献１】
特開平７−１５２９７５号公報
【０００５】
【発明が解決しようとする課題】
しかしながら、上述したようなシステムバスでは、入浴後に浴室扉を施錠し忘れることがあり、また、浴室扉を施錠し忘れた場合に、浴室扉を施錠するためには、浴室や脱衣場に用事がなくても、わざわざ脱衣場まで行って、浴室扉に設置された手動錠を操作しなければならず、施錠作業が繁雑となるので、ついつい浴室扉を施錠しそびれてしまうといった問題がある。
【０００６】
そこで、この発明の課題は、上述した問題点に鑑み、退出後は部屋の扉を確実に施錠することができる施錠システムを提供することにある。
【０００７】
【課題を解決するための手段及びその効果】
上記の課題を解決するため、請求項１にかかる発明は、特定の部屋の扉を施錠する電気錠と、特定の前記部屋の前に幼児以外の人がいるかどうかを検出する第１の人体検出センサとを備え、前記第１の人体検出センサから出力される人体検出信号が前記電気錠に入力されるようになっており、特定の前記部屋の扉が解錠されている状態において、前記第１の人体検出センサによって、特定の前記部屋の前に幼児以外の人がいないことが検出されると、前記電気錠が施錠動作を行うようになっている施錠システムを提供するものである。
【０００８】
以上のように、この施錠システムでは、第１の人体検出センサによって、特定の部屋の前に幼児以外の人がいないことが検出されると、電気錠が施錠動作を行うようになっているので、退出後その部屋の扉を閉めておくと、その部屋の前に幼児だけがいる場合であっても、その部屋の扉が自動的に施錠され、幼児一人でのその部屋への入室を確実に防止することができる。
【０００９】
また、請求項２にかかる発明の施錠システムのように、特定の前記部屋の扉が施錠されている状態において、前記第１の人体検出センサによって、特定の前記部屋の前に幼児以外の人がいることが検出されると、前記電気錠が解錠動作を行うようになっているものにあっては、幼児以外の人がその部屋に入る場合は、その都度、その部屋の扉の解錠操作を行う必要がないので、便利であり、しかも、幼児だけがその部屋の前にいる場合は、その部屋の扉が解錠されることがないので、幼児一人でのその部屋への入室を確実に阻止することができる。
【００１０】
また、上記の課題を解決するため、請求項３にかかる発明は、浴室扉を施錠する電気錠と、脱衣場に幼児以外の人がいるかどうかを検出する第１の人体検出センサとを備え、前記第１の人体検出センサから出力される人体検出信号が前記電気錠に入力されるようになっており、前記浴室扉が解錠されている状態において、前記第１の人体検出センサによって、脱衣場に幼児以外の人がいないことが検出されると、前記電気錠が施錠動作を行うようになっている施錠システムを提供するものである。
【００１１】
以上のように、この施錠システムでは、第１の人体検出センサによって、脱衣場に幼児以外の人がいないことが検出されると、電気錠が施錠動作を行うようになっているので、入浴後、浴室扉を閉めておくと、脱衣場に幼児だけがいる場合であっても、浴室扉が自動的に施錠され、幼児一人での浴室への入室を確実に防止することができる。
【００１２】
特に、請求項４にかかる発明の施錠システムのように、浴室内に人がいるか否かを検出する第２の人体検出センサを備え、前記第２の人体検出センサから出力される人体検出信号が前記電気錠に入力されるようになっており、前記第２の人体検出センサによって、浴室内に人がいることが検出されると、前記電気錠は施錠動作を行わないようになっているものにあっては、例えば、入浴するために浴室内に人が入った場合は、浴室扉が自動的に施錠されることがなく、浴室内に人が閉じこめられてしまうといった事態が発生することがない。
【００１３】
また、請求項５にかかる発明の施錠システムのように、前記浴室扉が施錠されている状態において、前記第１の人体検出センサによって、脱衣場に幼児以外の人がいることが検出されると、前記電気錠が解錠動作を行うようになっているものにあっては、幼児以外の人が浴室に入る場合は、その都度、浴室扉の解錠操作を行う必要がないので、便利であり、しかも、幼児だけが脱衣場にいる場合は、浴室扉が解錠されることがないので、幼児一人での浴室への入室を確実に阻止することができる。
【００１４】
また、請求項６にかかる発明の施錠システムのように、浴室以外に設置された給湯器の操作手段と、前記電気錠と前記操作手段とを通信可能に接続する通信手段とを備え、前記操作手段は、前記電気錠から送信される動作信号に基づいて、前記電気錠が施錠状態であるのか、解錠状態であるのかを報知するようになっているものにあっては、脱衣場までいかなくても、台所等に設置されている給湯器の操作手段によって、浴室扉の施錠状態を即座に把握することができる。
【００１５】
また、請求項７にかかる発明の施錠システムのように、前記浴室扉の開閉状態を検出する扉状態検出センサと、前記扉状態検出センサと前記操作手段とを通信可能に接続する通信手段とを備え、前記操作手段は、前記扉状態検出センサから送信される扉状態検出信号に基づいて、前記浴室扉の開閉状態を報知するようになっているものにあっては、浴室扉の開閉状態を確認することによって、浴室扉が実際に施錠されているのかどうかを知ることができ、電気錠が施錠状態であるにも拘わらず、浴室扉が開いている場合は、即ち、浴室扉が実際に施錠されていない場合は、即座に対応することができるので、浴室内で発生する幼児の事故を未然に防止することができる。
【００１６】
特に、請求項８にかかる発明の施錠システムのように、前記浴室扉の開閉状態を検出する扉状態検出センサと、前記扉状態検出センサと前記操作手段とを通信可能に接続する通信手段とを備え、前記操作手段は、前記電気錠から送信される動作信号と前記扉状態検出センサから送信される扉状態検出信号とに基づいて、前記電気錠が施錠状態である場合に、前記浴室扉が実際に施錠されているか否かを判断し、前記浴室扉が実際に施錠されていない場合は、その旨を表示するようにしておくことが望ましい。
【００１７】
【発明の実施の形態】
以下、実施の形態について図面を参照して説明する。図１に示すように、この浴室扉の施錠システム１は、浴室扉Ｄを施錠する電気錠１０と、脱衣場ＤＲに設置された、脱衣場ＤＲ内にいる幼児Ｃ以外の人Ｈを検出する第１の人体検出センサ２０と、浴室ＢＲ内に設置された、浴室ＢＲ内にいる人を検出する第２の人体検出センサ３０と、第１の人体検出センサ２０及び第２の人体検出センサ３０と電気錠１０とを通信可能に接続する二芯通信線４１とを備えている。
【００１８】
前記電気錠１０は、図２に示すように、浴室扉Ｄに設置された金属板１１と、浴室扉Ｄの扉枠ＤＦ等に設置された本体部１２とから構成されており、本体部１２は、通電することによって、浴室扉Ｄに設置された金属板１１を吸引保持する電磁石ユニット１３と、この電磁石ユニット１３に対する通電制御を行うマイクロコンピュータ１４と、このマイクロコンピュータ１４と二芯通信線４１とを接続する二芯線通信ユニット１５とを備えており、浴室扉Ｄに設置された金属板１１を本体部１２の電磁石ユニット１３が吸引保持することによって浴室扉Ｄが施錠され、電磁石ユニット１３による金属板１１の吸引保持が解除されると、浴室扉Ｄが解錠されるようになっている。
【００１９】
前記第１の人体検出センサ２０は、幼児Ｃ以外の人Ｈだけを検出することができるように、脱衣場ＤＲにおける所定の高さ位置に設置された赤外線センサ、光電管、超音波センサ等によって構成されており（図１参照）、この第１の人体検出センサ２０から出力される人体検出信号は、二芯通信線４１及び二芯線通信ユニット１５を介して、電気錠１０のマイクロコンピュータ１４に入力（送信）されるようになっている。
【００２０】
前記第２の人体検出センサ３０は、浴室ＢＲ内を撮像するための人工網膜センサや浴室ＢＲへの人の入室を検知する赤外線センサ等によって構成されており、この第２の人体検出センサ３０から出力される人体検出信号は、二芯通信線４１及び二芯線通信ユニット１５を介して、電気錠１０のマイクロコンピュータ１４に入力（送信）されるようになっている。
【００２１】
電気錠１０に搭載されたマイクロコンピュータ１４は、第１の人体検出センサ２０及び第２の人体検出センサ３０からそれぞれ出力された人体検出信号に基づいて、電磁石ユニット１３に対する通電制御を行うようになっているので、その通電制御について、図３に示すフローチャートを参照しながら説明する。
【００２２】
まず、マイクロコンピュータ１４は、第１の人体検出センサ２０からの人体検出信号に基づいて、脱衣場ＤＲに幼児Ｃ以外の人Ｈがいるか否かを判断し（ステップＳ１）、脱衣場ＤＲに幼児Ｃ以外の人Ｈがいない場合は、続いて、第２の人体検出センサ３０からの人体検出信号に基づいて、浴室ＢＲ内に人がいるか否かを判断し（ステップＳ２）、浴室ＢＲ内に人がいない場合は、電磁石ユニット１３に対して通電を開始または継続することによって、施錠動作を行うか、施錠状態を継続させる（ステップＳ３）。
【００２３】
一方、ステップＳ１において、脱衣場ＤＲに幼児Ｃ以外の人Ｈがいる場合や、ステップＳ２において、浴室ＢＲ内に人がいる場合は、電磁石ユニット１３に対する通電を停止または通電停止状態を継続することによって、解錠動作を行うか、解錠状態を継続させる（ステップＳ４）。
【００２４】
以上のように、この浴室扉の施錠システム１では、第１の人体検出センサ２０によって、脱衣場ＤＲに幼児Ｃ以外の人Ｈがいないことが検出され、しかも、第２の人体検出センサ３０によって、浴室ＢＲ内に人がいないことが検出された場合に限って、電気錠１０が自動的に施錠動作を行う（施錠状態の場合は、その施錠状態を継続する）ようになっているので、入浴後、浴室扉Ｄを閉めておくと、脱衣場ＤＲに幼児Ｃだけがいる場合であっても、浴室扉Ｄが自動的に施錠され、幼児一人での浴室ＢＲへの入室を確実に防止することができると共に、入浴するために浴室ＢＲ内に人が入った場合は、浴室扉Ｄが自動的に施錠されることがなく、浴室ＢＲ内に人が閉じこめられてしまうといった事態が発生することもない。
【００２５】
また、この施錠システム１では、浴室扉ＤＲが施錠されている状態において、第１の人体検出センサ２０によって、脱衣場ＤＲに幼児Ｃ以外の人Ｈがいることが検出された場合に限って、電気錠１０が解錠動作を行うようになっているので、幼児Ｃ以外の人Ｈが単独で浴室ＢＲに入る場合や幼児Ｃと共に浴室ＢＲに入る場合は、その都度、浴室扉Ｄの解錠操作を行う必要がなく、便利である。しかも、幼児Ｃだけが脱衣場ＤＲにいる場合は、浴室扉Ｄが解錠されることがないので、幼児一人での浴室への入室を確実に阻止することができる。
【００２６】
図４及び図５は他の実施形態を示している。この施錠システム２は、基本的に上述した施錠システム１と同一の構成を有しているので、同一構成要素には同一符号を付してその説明を省略し、異なる部分について詳細に説明する。
【００２７】
上述した施錠システム１では、第１の人体検出センサ２０及び第２の人体検出センサ３０から出力される人体検出信号に基づいて、電気錠１０の施錠及び解錠を自動的に行うだけであるが、この施錠システム１では、さらに、電気錠１０の施錠状態等の情報を報知することができるようになっている点で、上述した施錠システム１とは異なっている。
【００２８】
具体的には、図４に示すように、電気錠１０、第１の人体検出センサ２０及び第２の人体検出センサ３０と、給湯器５０の操作手段として台所に設置された台所用操作リモコン６０とが、二芯通信線４１、４２及び給湯器５０を介して通信可能に接続されており、図５に示すように、電気錠１０は、さらに、浴室扉Ｄに設置されたマグネット（永久磁石）１６と、本体部１２に搭載された、マグネット１６の磁力を検知するリードスイッチ１７とを備えている。
【００２９】
電気錠１０の本体部１２に搭載されたリードスイッチ１７は、浴室扉Ｄを閉じることによって、マグネット１６が接近すると、マグネット１６の磁力を検知してマイクロコンピュータ１４にＯＮ信号を出力し、浴室扉Ｄが開くことによって、マグネット１６が離反すると、マグネット１６の磁力を検知することができなくなるので、マイクロコンピュータ１４にＯＦＦ信号を出力するようになっており、このリードスイッチ１７から出力されるＯＮ、ＯＦＦ信号に基づいて、浴室扉Ｄの開閉状態を検出することができるようになっている。
【００３０】
従って、このマグネット１６及びリードスイッチ１７が、請求項５及び請求項６にかかる発明における扉状態検出センサに相当し、リードスイッチ１７から出力され、マイクロコンピュータ１４によって台所用操作リモコン６０に送信されるＯＮ、ＯＦＦ信号が請求項５及び請求項６にかかる発明における扉状態検出信号に相当する。
【００３１】
前記給湯器５０及び台所用操作リモコン６０には、通信手段を構成している前記二芯通信線４２を介して相互に通信可能なコントローラ５１、６１がそれぞれ搭載されており、これらのコントローラ５１、６１が相互に連携をとりながら、給湯器５０の運転動作を統括的に制御している。
【００３２】
前記台所用操作リモコン６０は、給湯設定温度等の給湯機関連情報を表示するための表示部６２を備えており、この表示部６２を利用して、電気錠１０の施錠状態等の各種情報が表示されるようになっている。即ち、台所用操作リモコン６０のコントローラ６１は、電気錠１０のマイクロコンピュータ１４から送信される動作信号に基づいて、電気錠１０が施錠状態であるのか、解錠状態であるのかを表示部６２に表示するようになっている。
【００３３】
また、この台所用操作リモコン６０のコントローラ６１は、電気錠１０のマイクロコンピュータ１４から送信される扉状態検出信号（リードスイッチ１７から出力されるＯＮ、ＯＦＦ信号）に基づいて、表示部６２に浴室扉Ｄの開閉状態を表示すると共に、電気錠１０のマイクロコンピュータ１４から送信される動作信号及び扉状態検出信号に基づいて、電気錠１０が施錠状態である場合に、浴室扉Ｄが実際に施錠されているか否かを判断し、浴室扉Ｄが実際に施錠されていない場合は、表示部６２にその旨を表示するようになっている。
【００３４】
以上のように、この施錠システム２では、台所用操作リモコン６０の表示部６２に、電気錠１０が施錠状態であるのか、解錠状態であるのかを表示するようになっているので、脱衣場ＤＲまでいかなくても、台所に設置されている台所用操作リモコン６０の表示部６２を見れば、浴室扉Ｄの施錠状態を即座に把握することができる。
【００３５】
また、この施錠システム２では、浴室扉Ｄの開閉状態が台所用操作リモコン６０の表示部６２に表示されると共に、電気錠１０は施錠状態であるが、浴室扉Ｄが実際に施錠されていない場合は、表示部６２にその旨が表示されるようになっているので、台所用操作リモコン６０の表示部６２を見ることによって、浴室扉Ｄの開閉状態を把握することができるだけでなく、電気錠１０が施錠状態であるにも拘わらず、浴室扉Ｄが実際に施錠されていないような場合は、その状態を直接的に把握することができ、脱衣場ＤＲまで浴室扉Ｄを閉めにいくといった具合に、即座に対応することができるので、浴室ＢＲ内で発生する幼児の事故を確実に防止することができる。
【００３６】
なお、上述した実施形態では、脱衣場ＤＲに幼児Ｃ以外の人Ｈがいなくても、浴室ＢＲ内に人がいる場合は、浴室扉Ｄが施錠されないようになっているが、これに限定されるものではなく、例えば、浴室ＢＲ内から浴室扉Ｄを解錠することができるのであれば、脱衣場ＤＲに幼児Ｃ以外の人Ｈがいない場合は、浴室扉Ｄを即座に施錠することも可能である。
【００３７】
また、上述した実施形態では、浴室扉Ｄの開閉状態だけでなく、電気錠１０が施錠状態であるにも拘わらず、浴室扉Ｄが実際に施錠されていない場合は、台所用操作リモコン６０の表示部６２にその旨を表示するようになっているが、これに限定されるものではなく、いずれか一方だけを表示することも可能である。
【００３８】
また、上述した実施形態では、浴室扉Ｄの扉枠ＤＦ等に設置された本体部１２が浴室扉Ｄに設置された金属板１１を吸引保持することによって、浴室扉Ｄを施錠する電気錠１０を使用した場合について説明したが、これに限定されるものではなく、電気信号によって施錠動作及び解錠動作を制御することができるものであれば、種々の形態の電気錠を使用することができる。
【００３９】
また、上述した実施形態では、扉状態検出センサが搭載された電気錠１０を使用した施錠システム２について説明したが、これに限定されるものではなく、扉状態検出センサを独立して設けることも可能である。
【００４０】
また、上述した実施形態では、台所に設置された台所用操作リモコン６０の表示部６２に、浴室扉Ｄの施錠に関する情報を表示させるようにしているが、これに限定されるものではなく、浴室に設置される浴室用操作リモコン以外に、複数の操作リモコンが設置される場合は、浴室用操作リモコンを除く、いずれか一の操作リモコンに同様の情報を表示させればよく、また、浴室用操作リモコンを除く、全ての操作リモコンに同様の情報を表示させることも可能である。
【００４１】
また、上述した実施形態では、浴室扉の施錠システムについて説明したが、これに限定されるものではなく、本発明は、例えば、屋内の倉庫収納部屋、屋根裏収納部屋等のように、扉の外側から施錠する必要がある特定の部屋に対する扉の施錠システムに適用することができることはいうまでもない。
【図面の簡単な説明】
【図１】この発明にかかる施錠システムの一実施形態を示す概略構成図である。
【図２】同上の施錠システムに使用されている電気錠の構成を示すブロック図である。
【図３】同上の電気錠の動作を示すフローチャートである。
【図４】他の実施形態である施錠システムを示す概略構成図である。
【図５】同上の施錠システムに使用されている電気錠の構成を示すブロック図である。
【符号の説明】
１、２  施錠システム
１０  電気錠
１１  金属板
１２  本体部
１３  電磁石ユニット
１４  マイクロコンピュータ
１５  二芯線通信ユニット（通信手段）
１６  マグネット（扉状態検出センサ）
１７  リードスイッチ（扉状態検出センサ）
２０  第１の人体検出センサ
３０  第２の人体検出センサ
４１、４２  二芯通信線（通信手段）
５０  給湯器
５１  コントローラ
６０  台所用操作リモコン
６１  コントローラ
６２  表示部
Ｄ  浴室扉
ＢＲ  浴室
ＤＲ  脱衣場
【図１】
2004150175.tif 000003
【図２】
2004150175.tif 000004
【図３】
2004150175.tif 000005
【図４】
2004150175.tif 000006
【図５】
2004150175.tif 000007